(57)【要約】【課題】本考案は、組み立ての簡易性、分解しての省スペース化及び運搬容易性、更には使用時における他人の視線への配慮、夜間での使用等を考慮した組み立て型便器セットを提供する。【解決手段】本考案に係る組み立て型便器セットは、開脚、閉脚可能で、開脚時に上端面に便座載せ面が形成されるパイプ材を用いた脚部３と、開脚状態の脚部の便座載せ面上に載置する便座１と、便座１に配置される袋状の収納体４と、収納体４内に入れる脱臭・消臭・給水素材からなるシート５と、便座１を載せた脚部３の周辺を包囲する衝立６と、この衝立６の接合端６ａ、６ｂ同士を留め付けるクリップ７と、このクリップ７に取り付けた照明用ランプ８と、照明用ランプ８の点灯用の電源部９とを備えた照明手段１０と、脚部３、便座１、収納体４、シート５、衝立６、照明用ランプ８付きのクリップ７、電源部９並びに予備用の収納体４及びシート５を収納する箱体と、を有するものである。【選択図】図１０
0003120390.tif 000002
【実用新案登録請求の範囲】
【請求項１】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
を有することを特徴とする組み立て型便器セット。
【請求項２】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
前記収納体内に入れる脱臭・消臭・給水素材からなるシートと、
を有することを特徴とする組み立て型便器セット。
【請求項３】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
前記収納体内に入れる脱臭・消臭・給水素材からなるシートと、
前記便座を載せた脚部の周辺を包囲するアコーディオン状で折り畳み可能な衝立と、
を有することを特徴とする組み立て型便器セット。
【請求項４】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
前記収納体内に入れる脱臭・消臭・給水素材からなるシートと、
前記便座を載せた脚部の周辺を包囲するアコーディオン状で折り畳み可能な衝立と、
この衝立の接合端同士を留め付けるクリップと、
を有することを特徴とする組み立て型便器セット。
【請求項５】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
前記収納体内に入れる脱臭・消臭・給水素材からなるシートと、
前記便座を載せた脚部の周辺を包囲する形態のアコーディオン状で折り畳み可能な衝立と、
この衝立の接合端同士を留め付けるクリップと、
このクリップに取り付けた照明用ランプと、該照明用ランプ点灯用の電源部とを備えた照明手段と、
を有することを特徴とする組み立て型便器セット。
【請求項６】
開脚、閉脚可能で、開脚時に上端面に便座載せ面が形成されるパイプ材を用いた脚部と、
開脚状態の脚部の便座載せ面上に載置する便座と、
前記便座に開口部分が配置される袋状の収納体と、
前記収納体内に入れる脱臭・消臭・給水素材からなるシートと、
前記便座を載せた脚部の周辺を包囲する形態のアコーディオン状で折り畳み可能な衝立と、
この衝立の接合端同士を留め付けるクリップと、
このクリップに取り付けた照明用ランプと、該照明用ランプ点灯用の電源部とを備えた照明手段と、
前記脚部、便座、収納体、シート、衝立、照明用ランプ付きのクリップ、電源部並びに予備用の収納体及びシートを収納する箱体と、
を有することを特徴とする組み立て型便器セット。
【考案の詳細な説明】
【技術分野】
【０００１】
本考案は、組み立て型便器セットに関し、詳しくは、組み立てが簡略で持ち運びにも便利であり、屋外レジャー、登山等において実用価値が高い組み立て型便器セットに関するものである。
【背景技術】
【０００２】
従来から屋外レジャー、登山、ハイキング等において使用する簡易トイレが種々提案されている。
【０００３】
例えば、特許文献１には、折り畳み可能なパイプ骨体と、このパイプ骨体に吊り具を介して連結する排泄物を受ける袋体と、パイプ骨体の上部に連結する穴を設けた厚地布とをセットにした簡易パイプ腰掛けトイレ兼椅子が提案されている。
【０００４】
しかし、この特許文献１の場合、袋体をパイプ骨体に吊り具を介して連結する構造を採用しているので、組み立てがやや煩雑であるとともに、使用時における他人の視線への配慮や、夜間での使用までも考慮したものではない。
【０００５】
特許文献２には、楕円状立体型の便器本体の開口部に便座を配置し、更に蓋を備えた持ち運び簡易便器が提案されている。
【０００６】
しかし、この特許文献２の場合、便器本体が楕円状立体型であるため省スペース、運搬性の点で必ずしも十分ではなく、また、使用時における他人の視線への配慮や、夜間での使用までも考慮したものではない。
【特許文献１】特開２００１−２５２２１９号公報
【特許文献２】特開２００２−１５３４００号公報
【考案の開示】
【考案が解決しようとする課題】
【０００７】
本考案が解決しようとする問題点は、組み立ての簡易性、分解しての省スペース化及び運搬容易性、更には使用時における他人の視線への配慮、夜間での使用等の諸点を総合的に考慮した組み立て型便器セットが存在しない点である。
【課題を解決するための手段】
【０００８】
本考案の組み立て型便器セットは、開脚、閉脚可能で、開脚時に上端面に便座載せ面が形成されるパイプ材を用いた脚部と、開脚状態の脚部の便座載せ面上に載置する便座と、前記便座に開口部分が配置される袋状の収納体と、を有することを最も主要な特徴とする。
【考案の効果】
【０００９】
本考案によれば、以下の効果を奏する。
請求項１記載の考案によれば、パイプ材を用いた脚部を開脚して、上端面に形成される便座載せ面に便座を載せ、袋状の収納体の開口部分を便座に配置するだけの簡易な組み立て作業を行うだけで、実用に供することができ、また、脚部を閉脚状態とし、収納体を畳んだ状態とすることで、脚部、収納体及び便座を省スペース化を図りつつ容易に運搬することができ、屋外レジャー、登山、更には地震等の緊急事態発生時に極めて有効な組み立て型便器セットを提供することができる。
【００１０】
請求項２記載の考案によれば、前記請求項１記載の考案と同様の効果を奏するとともに、脱臭・消臭・給水素材からなるシートを前記収納体内に入れて使用することにより、排泄物の脱臭・消臭効果、排泄物の給水効果をも発揮し、排泄物の処理も容易な組み立て型便器セットを提供することができる。
【００１１】
請求項３記載の考案によれば、前記請求項２記載の考案と同様の効果を奏するとともに、便座を載せた脚部の周辺を包囲するアコーディオン状で折り畳み可能な衝立を備えることから、実際の使用時において周囲の人の視線を遮ることもできる組み立て型便器セットを提供することができる。
【００１２】
請求項４記載の考案によれば、前記請求項３記載の考案と同様の効果を奏するとともに、衝立の接合端同士を留め付けるクリップをも備えることから、衝立による周囲の人の視線の遮蔽効果を確実に発揮し得る組み立て型便器セットを提供することができる。
【００１３】
請求項５記載の考案によれば、前記請求項４記載の考案と同様の効果を奏するとともに、クリップに取り付けた照明用ランプ及び該照明用ランプ点灯用の電源部を備えることから、前記照明用ランプにより衝立内の便座、脚部の領域を照明することができ、夜間においても使用可能な組み立て型便器セットを提供することができる。
【００１４】
請求項６記載の考案によれば、前記請求項５記載の考案と同様の効果を奏するとともに、前記脚部、便座、収納体、シート、衝立、照明用ランプ付きのクリップ、電源部並びに予備用の収納体及びシートを収納する箱体をも備えることから、この組み立て型便器セット全体の運搬や保管の便宜を図ることができる。
【考案を実施するための最良の形態】
【００１５】
本考案は、組み立ての簡易性、分解しての省スペース化及び運搬容易性、更には使用時における他人の視線への配慮、夜間での使用等を考慮した組み立て型便器セットを提供するという考案の目的を、開脚、閉脚可能で、開脚時に上端面に便座載せ面が形成されるパイプ材を用いた脚部と、開脚状態の脚部の便座載せ面上に載置する便座と、前記便座に開口部分が配置される袋状の収納体と、前記収納体内に入れる脱臭・消臭・給水素材からなるシートと、前記便座を載せた脚部の周辺を包囲するアコーディオン状で折り畳み可能な衝立と、この衝立の接合端同士を留め付けるクリップと、このクリップに取り付けた照明用ランプと、該照明用ランプ点灯用の電源部とを備えた照明手段と、前記脚部、便座、収納体、シート、衝立、照明用ランプ付きのクリップ、電源部並びに予備用の収納体及びシートを収納する箱体と、を有する構成により実現した。
【実施例】
【００１６】
以下に、本考案の実施例に係る組み立て型便器セットについて図面を参照して詳細に説明する。
【００１７】
本実施例に係る組み立て型便器セットは、図１に示すように例えば合成樹脂製で、中央部に穴部２を設けた円形又は楕円状の便座１と、図２に示すようにアルミ製のパイプ材を用い、折り畳み型の椅子の脚部のように開脚、閉脚可能で、開脚時に上端面に便座載せ面が形成される脚部３と、図３に示すように前記便座１の穴部２に上端開口部４ａが取り付けられる例えばビニール袋のような袋状の収納体４と、図４に示すように前記収納体４内に入れる脱臭・消臭・給水素材からなるシート５と、図６に示すように前記便座１を載せた脚部３の周辺を包囲するアコーディオン状で折り畳み可能な衝立６とを有している。
【００１８】
本実施例に係る組み立て型便器セットは、更に、図７に示すように前記衝立６の接合端６ａ、６ｂ同士を留め付けるクリップ７と、このクリップ７に取り付けた照明用ランプ８及び該照明用ランプ８の点灯用の電源部９とを備えた照明手段１０とを有し、また前記脚部３、便座１、収納体４、シート５、衝立６、照明用ランプ８付きのクリップ７及び電源部９並びに図５に示す予備用の収納体４及びシート５を纏めて収納する図１１に示す箱体１１を備えている。
【００１９】
収納体４としては、本実施例に係る組み立て型便器セット専用のビニール袋の他、各種商店、コンビニ等で買物した際に得られるビニール袋等を用いることができる。
【００２０】
前記シート５としては、例えば、イオン結合により一度排泄物等を吸着したら離さない化学吸着型で、脱臭、消臭能力が大きいテクノカーボンを使用し、排泄物を吸着させた後、樹脂シートにより包むことで殆ど無臭状態として処理の簡便化を図るものである。
【００２１】
前記衝立６は、例えば防水加工した段ボール材を使用し、例えば図６に示すように全体として８段に折り畳み可能なアコーディオン形状に形成している。また、衝立６の高さ寸法Ｌは例えば１２００ｍｍ程度とし、起立させた状態において周囲の人の視線からの遮蔽効果を発揮し得るように構成している。
更に、この衝立６は、地面上にアコーディオン形状で前記便座１、脚部３を囲むように起立させることで、地面との接触部分を増やし、地面上での起立安定性を確保するようにしている。更に、衝立６は防水加工した段ボール材を使用することで、クッション効果、防水効果をも発揮し、これにより、屋外等において簡易な敷物としても活用できるようにしている。
【００２２】
前記照明手段１０は、前記クリップ７に取り付けた照明用ランプ８及び該照明用ランプ８の点灯用の電源部９とを備え、この電源部９を、例えば乾電池を収納した電池ボックス１２、照明用ランプ８のオン、オフ用のスイッチ１３、前記照明用ランプ８、スイッチ１３、電池ボックス１２を接続する電源コード１４により構成している。
【００２３】
次に、本実施例に係る組み立て型便器セットの具体的使用例について、図８、図９及び図１０を参照して説明する。
【００２４】
この組み立て型便器セットは、運搬時、保管時においては、前記便座１、脚部３、収納体４、シート５、衝立６、照明用ランプ８付きのクリップ７、電源部９、予備用の収納体４及びシート５を纏めて箱体１１内に入れ、箱体１１を自動車のトランクルーム等に入れておく。
【００２５】
屋外等で実際に使用する際には、箱体１１内から、便座１、脚部３、収納体４、シート５、衝立６、照明用ランプ８付きのクリップ７、電源部９を取り出し、まず図８、図９に示すように、脚部３を開脚し、この脚部３の上端面に形成される便座載せ面上に便座１を載せ、更に収納体４の上端開口部４ａを便座１の穴部２の下側から通し、拡開するようにしてこの便座１に取り付け下方に垂れ下げる。更に、収納体４内に前記シート５を入れることで便器としての準備が完了する。
【００２６】
次に、図１０に示すように、前記衝立６を展開し、便座１、脚部３の周りを囲むようにして地面上に安定状態で起立させ、便座１、脚部３の領域を外部の人の視線から遮蔽することで、この衝立６により囲まれた便座１、脚部３を用いての実際の使用が可能となる。
【００２７】
この場合に、衝立６の接合端６ａ、６ｂの部分を、前記照明用ランプ８を取り付けたクリップ７で挟むことで、衝立６が風等で開いてしまうことを防止でき、便座１、脚部３の領域を外部からの視線から確実に遮ることができる。
【００２８】
また、スイッチ１３をオンにし、前記便座１、脚部３の方向に向けた照明用ランプ８に対して電池ボックス１２から電源コード１４、スイッチ１３を介して給電することにより、前記照明用ランプ８を点灯させることができ、これにより、夜間においても支障なく便座１、脚部３を用いての実際の使用が可能となる。
【００２９】
使用終了後においては、前記照明用ランプ８を取り付けたクリップ７を衝立６から外して、衝立６を図６に示す初期状態に折り畳む。また、前記便座１から排泄物が入った収納体４を外して包み込むとともに、便座１を脚部３から外し、脚部３を図２に示す初期状態に戻す。
【００３０】
この後、排泄物が入った収納体４は、所定の箇所に廃棄して、便座１、脚部３、衝立６、照明用ランプ８を取り付けたクリップ７、電池ボックス１２、電源コード１４、スイッチ１３を前記箱体１１内に戻す。
【００３１】
次回の使用時には、予備用の収納体４、シート５を用い、上述した場合と同様な組み立て作業を行い、また、使用後においては上述した場合と同様の作業を繰り返す。
【００３２】
本実施例の組み立て型便器セットによれば、パイプ材を用いた脚部３を開脚して、上端面に形成される便座載せ面に便座１を載せ、袋状の収納体４の上端開口部４ａを便座１に配置するだけの簡易な組み立て作業を行うだけで、これを実用に供することができ、また脚部３を閉脚状態とし、収納体４を畳んだ状態とすることで、これら便座１、脚部３、収納体４を省スペース化を図りつつ容易に運搬することができ、屋外レジャー、登山、更には地震等の緊急事態発生時に極めて有効となる。また、脱臭・消臭・給水素材からなるシート５を収納体４内に入れて実際に使用することにより、排泄物の脱臭・消臭効果、排泄物の給水効果をも発揮し、排泄物の処理も容易に行うことができる。
【００３３】
また、便座１を載せた脚部３の周辺を包囲するアコーディオン状で折り畳み可能な衝立６を備えることから、実際の使用時において周囲の人の視線を遮ぎることができ、安心して使用することが可能となる。この場合に、衝立６の接合端６ａ、６ｂ同士を留め付けるクリップ７を用いることにより、衝立６が風等で開く事態を防止し、衝立６による周囲の人の視線の遮蔽効果を確実に発揮させることができる。
【００３４】
更に、照明用ランプ８を点灯させることで、衝立６内の便座１、脚部３の領域を明るく照明することができ、夜間においても安心して使用することが可能となる。
【００３５】
また、前記箱体１１により、便座１、脚部３、収納体４、シート５、衝立６、照明用ランプ８付きのクリップ７、電源部９並びに予備用の収納体４、シート５を収納できるので、この組み立て型便器セット全体の運搬や保管の便宜を図ることができる。
【産業上の利用可能性】
【００３６】
本考案は、屋外レジャー、登山等で用いる他、山野での各種作業時、地震等の緊急事態発生時における水洗トイレの使用不能時等に幅広く活用できる。
【図面の簡単な説明】
【００３７】
【図１】本考案の実施例に係る組み立て型便器セットの便座を示す斜視図である。
【図２】本実施例に係る組み立て型便器セットの脚部を示す斜視図である。
【図３】本実施例に係る組み立て型便器セットの収納体を示す斜視図である。
【図４】本実施例に係る組み立て型便器セットのシートを示す斜視図である。
【図５】本実施例に係る組み立て型便器セットの予備品を示す斜視図である。
【図６】本実施例に係る組み立て型便器セットの衝立を折り畳んだ状態の斜視図である。
【図７】本実施例に係る組み立て型便器セットのクリップ及び照明手段を示す斜視図である。
【図８】本実施例に係る組み立て型便器セットの脚部上に便座を載置した状態を示す正面図である。
【図９】本実施例に係る組み立て型便器セットの脚部上の便座に収納体を取り付けた状態を示す断面図である。
【図１０】本実施例に係る組み立て型便器セットの使用状態を示す斜視図である。
【図１１】本実施例に係る組み立て型便器セットの箱体を示す斜視図である。
【符号の説明】
【００３８】
１    便座
２    穴部
３    脚部
４    収納体
４ａ  上端開口部
５    シート
６    衝立
６ａ  接合端
６ｂ  接合端
７    クリップ
８    照明用ランプ
９    電源部
１０    照明手段
１１    箱体
１２    電池ボックス
１３    スイッチ
１４    電源コード
【図１】
0003120390.tif 000003
【図２】
0003120390.tif 000004
【図３】
0003120390.tif 000005
【図４】
0003120390.tif 000006
【図５】
0003120390.tif 000007
【図６】
0003120390.tif 000008
【図７】
0003120390.tif 000009
【図８】
0003120390.tif 000010
【図９】
0003120390.tif 000011
【図１０】
0003120390.tif 000012
【図１１】
0003120390.tif 000013